(57)【要約】【解決手段】容器本体Ｃを蓋Ｔで被蓋した際には、蓋に配設されたロック解除操作部材２０の係止突部２３を、容器本体に形成された係止ブロック６の下方に配置することにより、容器本体と蓋とをロック状態とし、ロック解除操作部材を、容器本体の前記係止ブロックが形成された側壁２方向に移動させることにより、蓋に配設されたロック解除操作部材の係止突部を、容器本体に形成された係止ブロックの下方から排出させることにより、容器本体と蓋とをロック状態を解除するように構成したものである。【効果】蓋と容器本体とのロック状態を解除したままの状態で、蓋を持ち上げることができるので、蓋と容器本体とのロック状態の解除作業及び蓋の取外作業の作業性が向上する。【選択図】図１１
2006051967.tif 000002
【特許請求の範囲】
【請求項１】
容器本体を蓋で被蓋した際には、蓋に配設されたロック解除操作部材の係止突部を、容器本体に形成された係止ブロックの下方に配置することにより、容器本体と蓋とをロック状態とし、ロック解除操作部材を、容器本体の前記係止ブロックが形成された側壁方向に移動させることにより、蓋に配設されたロック解除操作部材の係止突部を、容器本体に形成された係止ブロックの下方から排出させることにより、容器本体と蓋とをロック状態を解除するように構成したことを特徴とする蓋付き容器。
【発明の詳細な説明】
【技術分野】
【０００１】
本発明は、折り畳み可能な容器本体（所謂、折り畳みコンテナー）或いは折り畳むことが不可能な容器本体（所謂、ボックスコンテナー）と、これら容器本体に被蓋される蓋とからなる蓋付き容器に関するものである。
【背景技術】
【０００２】
容器本体の開口部付近に位置する側壁に透孔を穿設するとともに、容器本体に被蓋される蓋には、蓋の周囲に形成された土手部から、外側に突出自在な係止片を配設し、係止片を土手部から引っ込ませた状態で、蓋を容器本体に被蓋に、その後、蓋に配設された係止片を、容器本体の側壁方向に移動させて、係止片の先端部を土手部から突出させて、容器本体の側壁に穿設された透孔に挿入することにより、容器本体と蓋とをロック状態とし、また、蓋に配設された係止片を、容器本体の側壁から遠ざかる方向に移動させて、係止片の先端部を、容器本体の側壁に穿設された透孔から排出させることにより、容器本体と蓋とのロック状態を解除するようにした蓋付き容器が、特許文献１に開示されている。
【特許文献１】特開平１０−２４９４５号公報
【発明の開示】
【発明が解決しようとする課題】
【０００３】
上述した従来の蓋付き容器においては、容器本体に被蓋され、且つ、ロックされている蓋を、容器本体と蓋とのロック状態を解除して、容器本体から取り外すには、先ず最初に、蓋に配設された係止片を、容器本体の側壁から遠ざかる方向に移動させて、係止片の先端部を、容器本体の側壁に穿設された透孔から排出させるという工程と、その後、蓋を持ち上げるという工程との２工程が必要であり、また、容器本体に蓋を被蓋する際には、先ず最初に、蓋に配設された係止片の先端部が、土手部から引っ込んでいるかどうかを確認し、係止片の先端部が、土手部から引っ込んでいない場合には、容器本体の側壁から遠ざかる方向に移動させる工程と、蓋を、容器本体に被蓋する工程と、蓋に配設された係止片を、容器本体の側壁方向に移動させて、係止片の先端部を、容器本体の側壁に穿設された透孔に挿入する工程の３工程が必要であり、従って、容器本体への蓋の被蓋及び容器本体からの蓋の取り外しに、手間と時間がかかるという問題があった。
【０００４】
本発明の目的は、上述した従来の蓋付き容器が有する課題を解決することにある。
【課題を解決するための手段】
【０００５】
本発明は、容器本体を蓋で被蓋した際には、蓋に配設されたロック解除操作部材の係止突部を、容器本体に形成された係止ブロックの下方に配置することにより、容器本体と蓋とをロック状態とし、ロック解除操作部材を、容器本体の前記係止ブロックが形成された側壁方向に移動させることにより、蓋に配設されたロック解除操作部材の係止突部を、容器本体に形成された係止ブロックの下方から排出させることにより、容器本体と蓋とをロック状態を解除するように構成したものである。
【発明の効果】
【０００６】
蓋と容器本体とのロック状態を解除したままの状態で、蓋を持ち上げることができるので、蓋と容器本体とのロック状態の解除作業及び蓋の取外作業の作業性が向上する。
【実施例】
【０００７】
以下に、本発明の実施例について説明するが、本発明の趣旨を越えない限り、何ら、本実施例に限定されるものではない。
【０００８】
図１において、Ｃは、本発明の蓋付き容器を構成する容器本体であり、本実施例においては、容器本体Ｃは、底部１と、底部１の短辺に沿って形成された短辺側土手部１ａにヒンジ連結された短側壁２と、底部１の長辺に沿って形成された、短辺側土手部１ａより高さの低い長辺側土手部１ｂにヒンジ連結された長側壁３とから折り畳み可能に構成されている。
【０００９】
箱型に組み立てられた状態から、先ず最初に、長側壁３を、底部１方向に倒して、底部１の上に重ね、次いで、短側壁２を、底部１方向に倒して、底部１に重ねられている長側壁２の上に重ねることにより、高さの低いコンパクトな状態に折り畳むことができるように構成されている。また、折り畳まれた状態から、先ず最初に、短側壁２を、垂直方向に回動させて略垂直に立て、次いで、長側壁２を、垂直方向に回動させて略垂直に立てることにより、箱型に組み立てることができるように構成されている。
【００１０】
次に、図１〜図３を用いて、短側壁２について説明する。
【００１１】
短側壁２の略方形状の板状部２ａの上端には、外側に略水平に延在する上端水平フランジ２ｂが形成されており、上端水平フランジ２ｂの中央部には、所定の間隔をおいて、有底或いは無底の嵌合孔４が形成されている。
【００１２】
嵌合孔４の間に位置する上端水平フランジ２ｂには、容器本体Ｃの内側と上方が開放された角部凹部５が形成されており、角部凹部５は、板状部２ａに略平行な奥壁５ａと、底部５ｂと、板状部２ａに対して略垂直な相対する側部５ｃとから構成されている。また、上端水平フランジ２ｂと板状部２ａにより形成される角部に近接して位置する相対する側部５ｃの上端内側角部には、側部５ｃに対して略垂直に、略角柱状の係止ブロック６がそれぞれ突設されている。係止ブロック６は、底部５ｂと略平行な上面６ａと下面６ｂと、奥壁５ａと略平行な相対する側面６ｃと、側部５ｃと略平行な端面６ｄとを有しており、上面６ａと奥壁５ａ側に位置する一方の側面６ｃとにより形成される角部を削除することにより、この角部には、角部凹部５の奥壁５ａ方向に向かって下方に傾斜した傾斜面６ｅが形成されている。また、相対する側部５ｃにそれぞれ突設された係止ブロック６の端面６ｄ間には、所定の間隙Ｄ１が形成されている。
【００１３】
次に、図４〜図６を用いて、本発明の蓋付き容器を構成する蓋Ｔについて説明する。
【００１４】
蓋Ｔは、平面形状が略長方形状の天板部１０と、天板部１０の周囲に形成された土手部１１を有しており、土手部１１の短辺側１１ａの中央領域には、土手部１１の短辺側１１ａに沿って形成された幅広土手部１２が形成されており、幅広土手部１２は、土手部１１の短辺側１１ａの上端から、天板部１０の中央部方向に向かって略水平に延在する帯状の天部１２ａと、天部１２ａの周縁から下方に延在するとともに、天板部１０に連結された側壁１２ｂとを有している。幅広土手部１２の側壁１２ｂと土手部１１の短辺側１１ａとの間に架橋された適当な架橋リブ１２ｃの裏面には、所定の間隔を置いて、一対の嵌合突部１３が垂設されており、蓋Ｔを、容器本体Ｃに被蓋した際には、嵌合突部１３が、短側壁２の上端水平フランジ２ｂに形成された嵌合孔４に嵌合されるように構成されている。本実施例においては、嵌合突部１３は、近接して配置された一対の架橋リブ１２ｃを下方に延在することにより形成された一対のリブ部１３ａと、該一対のリブ部１３ａの相対する面の中央を連結する架橋リブ部１３ｂとから構成されている。
【００１５】
幅広土手部１２付近に位置する天板部１０には、天板部１０を下方に膨出させることにより形成された、平面形状が略凸状で、上方が開放された凹部１４が形成されている。凹部１４は、幅広土手部１２に沿って形成された、平面形状が略長方形状の土手部側部分１４’と、土手部側部分１４’の中央部から天板部１０の中央部方向に延在する中央部側部分１４”とにより構成されている。また、凹部１４は、平面形状が略凸状の平坦な底板１４ａと、底板１４ａの周縁から上方に延在するとともに、その上端が天板部１０に連結された周壁１４ｂとを有している。
【００１６】
凹部１４の土手部側部分１４’を形成する周壁１４ｂのうち、土手部１１の短辺側１１ａに対して略垂直な相対する側壁部１４ｂ１の下端には、側壁部１４ｂ１に沿って、ガイドスリット１５が穿設されている。また、凹部１４の土手部側部分１４’を形成する周壁１４ｂのうち、幅広土手部１２側で、且つ、幅広土手部１２に沿った側壁部１４ｂ２の中央部には、透孔１６が穿設されているとともに、透孔１６の両側に位置する側壁部１４ｂ２には、所定の間隔を置いて、中央部側部分１４”方向に延在する当接突起１７が突設されている。
【００１７】
天板部１０に裏面には、容器本体Ｃの開口部に嵌合される額縁状嵌合枠１８が垂設されている。額縁状嵌合枠１８の幅広土手部１２側に位置する部分１８ａは、上述した凹部１４を形成する周壁１４ｂのうちの幅広土手部１２側に位置する側壁部１４ｂ２を兼ねるように構成されることが好ましい。また、額縁状嵌合枠１８の下端は、上述した凹部１４を形成する平坦な底板１４ａの裏面を越えて、下方に突出しないように構成されており、本実施例には、額縁状嵌合枠１８の下端と底板１４ａの裏面とは、同じ仮想平面上に位置する例が示されている。以下においては、凹部１４を形成する周壁１４ｂのうちの幅広土手部１２側に位置する側壁部１４ｂ２が、額縁状嵌合枠１８の幅広土手部１２側に位置する部分１８ａを兼ねている例を用いて説明する。
【００１８】
次に、図７及び図８を用いてロック解除操作部材２０について説明する。
【００１９】
ロック解除操作部材２０は、上述した凹部１４を構成する土手部側部分１４’に挿入可能な略角筒状の操作ブロック２１を有しており、操作ブロック２１は、凹部１４を構成する土手部側部分１４’に挿入された際に、幅広土手部１２に対向する平坦な板状の前側部２１ａを有している。前側部２１ａの中央部には、前側部２１ａに対して垂直方向に延在するロッド２２が突設されており、ロッド２２の先端部の両側面には、ロッド２２に対して垂直に、略三角柱状の係止突部２３がそれぞれ形成されている。略三角柱状の係止突部２３は、平坦で水平な上面２３ａと、ロッド２２の先端側に位置する垂直前面２３ｂと、前側部２１ａ側に位置するとともに、上面２３ａから下方に向かうに従って、垂直前面２３ｂ方向に傾斜した傾斜面２３ｃと、端面２３ｄとから構成されている。
【００２０】
また、前側部２１ａのロッド２２を挟んで位置する領域には、ロッド２２側が根元部で、ロッド２２から遠い部分が自由端である弾性片２４が形成されている。この弾性片２４は、一例として、垂直前面２３ｂの下端から上方に延在する垂直スリット２５ａを形成し、垂直スリット２５ａの上端から、ロッド２２方向に延在する水平スリット２５ｂを形成することにより形成されている。更に、操作ブロック２１の前側部２１ａに対して垂直な相対する側面２１ｂの下端部には、ガイドレール２６が形成されている。なお、垂直スリット２５ａを、側面２１ｂの近傍に形成することにより、側面２１ｂを、板バネ状に形成し、弾性変形可能なように構成することが好ましい。
【００２１】
図１０に示されているように、操作ブロック２１を、凹部１４を構成する土手部側部分１４’に挿入した際には、操作ブロック２１の前側部２１ａに形成された弾性片２４の自由端部が、凹部１４の土手部側部分１４’を形成する幅広土手部１２に沿った側壁部１４ｂ２に突設された当接突起１７に当接、或いは、接近して位置するように構成されており、側壁部１４ｂ２と操作ブロック２１の前側部２１ａとの間に、所定の間隙が形成されるように構成されている。
【００２２】
蓋Ｔの幅広土手部１２に沿って形成された凹部１４の土手部側部分１４’に、ロック解除操作部材２０の操作ブロック２１を装着した際には、操作ブロック２１の前側部２１ａに突設されたロッド２２は、凹部１４の土手部側部分１４’を形成する周壁１４ｂのうちの幅広土手部１２に沿った側壁部１４ｂ２の中央部に穿設された透孔１６に挿入されるとともに、透孔１６の両側に位置する側壁部１４ｂ２に突設された当接突起１７が、操作ブロック２１の前側部２１ａに形成された弾性片２４の自由端部に当接、或いは、接近して位置するように構成されており、更に、操作ブロック２１の前側部２１ａに突設されたロッド２２の先端部の両側面に突設された係止突部２３は、蓋Ｔの幅広土手部１２の天部１２ａの下方に位置するように構成されている。
【００２３】
また、蓋Ｔの幅広土手部１２に沿って形成された凹部１４の土手部側部分１４’に、ロック解除操作部材２０の操作ブロック２１を装着した際には、操作ブロック２１の相対する側面２１ｂの下端部に形成されたガイドレール２６が、蓋Ｔの幅広土手部１２に沿って形成された凹部１４の土手部側部分１４’を形成する、相対する側壁部１４ｂ１の下端に穿設されたガイドスリット１５に挿入されている。また、上述したように、垂直スリット２５ａを、側面２１ｂの近傍に形成することにより、側面２１ｂが弾性変形するように形成されているので、側面２１ｂ同士を、互いに接近する方向に弾性変形させることにより、操作ブロック２１の相対する側面２１ｂに形成されたガイドレール２６を、側壁部１４ｂ１の下端に穿設されたガイドスリット１５に容易に挿入することができる。
【００２４】
上述したように、ロック解除操作部材２０を、蓋Ｔの幅広土手部１２付近の天板部１０に形成された凹部１４の土手部側部分１４’に装着した際には、ロック解除操作部材２０は、凹部１４を越えて上方に突出しないように、完全に、凹部１４内に収容されるように構成されている。
【００２５】
次に、主として、図１１〜図１５を用いて、容器本体Ｃへの蓋Ｔの被蓋について説明する。
【００２６】
先ず最初に、図１１及び図１２に示されているように、容器本体Ｃの開口部の上方に、蓋Ｔの天板部１０の裏面に垂設された額縁状嵌合枠１８が位置するように、蓋Ｔを配置し、その後、蓋Ｔを下降させることにより、容器本体Ｃの開口部に、蓋Ｔの天板部１０の裏面に垂設された額縁状嵌合枠１８が嵌合する。
【００２７】
容器本体Ｃの開口部に、蓋Ｔの天板部１０の裏面に垂設された額縁状嵌合枠１８が嵌合すると、蓋Ｔの額縁状嵌合枠１８が、容器本体Ｃの開口部に嵌合される前後において、幅広土手部１２の裏面に突設された嵌合突部１３が、容器本体Ｃの短側壁２の上端水平フランジ２ｂに穿設された嵌合孔４に嵌合されるとともに、蓋Ｔの凹部１４の土手部側部分１４’に配設されたロック解除操作部材２０を構成する操作ブロック２１のロッド２２が、容器本体Ｃの上端水平フランジ２ｂに形成された角部凹部５を構成する相対する側部５ｃに突設された係止ブロック６間に形成された間隙Ｄ１に挿入される。そして、操作ブロック２１に突設されたロッド２２が、係止ブロック６間に形成された間隙Ｄ１に挿入された際には、図１３に示されているように、蓋Ｔに配設されたロック解除操作部材２０を構成する操作ブロック２１のロッド２２の先端部の両側面に突設された係止突部２３の傾斜面２３ｃが、容器本体Ｃの上端水平フランジ２ｂに形成された角部凹部５を形成する相対する側部５ｃに突設された係止ブロック６の傾斜面６ｅに当接するように構成されている。
【００２８】
上述した状態から、更に、蓋Ｔを下降させると、操作ブロック２１のロッド２２の先端部に突設された係止突部２３の傾斜面２３ｃが、容器本体Ｃの上端水平フランジ２ｂに形成された角部凹部５を形成する側部５ｃに突設された係止ブロック６の傾斜面６ｅに案内されながら下降することになる。この蓋Ｔの下降により、ロック解除操作部材２０が、幅広土手部１２に接近する方向に移動することになるが、このロック解除操作部材２０の幅広土手部１２に接近する方向への移動により、ロック解除操作部材２０は、幅広土手部１２に沿った側壁部１４ｂ２に突設された当接突起１７に、その自由端部が当接している弾性片２４を、その弾性力に抗して湾曲変形させながら、幅広土手部１２への接近を続けることになる。そして、蓋Ｔに配設された操作ブロック２１のロッド２２に突設された係止突部２３の上面２３ａが、上記の係止ブロック６の下面６ｂを越えて下方に位置した際には、ロック解除操作部材２０は、湾曲変形した弾性片２４の復元力により、幅広土手部１２から離反する方向に移動し、蓋Ｔに配設された操作ブロック２１のロッド２２に突設された係止突部２３が、図１４に示されているように、上記の係止ブロック６の下方に接近し、図１６に示されているように、容器本体Ｃの開口部を被蓋した蓋Ｔが、容器本体Ｃに対してロックされた状態になる。
【００２９】
上述したように、容器本体Ｃの開口部を被蓋した蓋Ｔが、容器本体Ｃに対してロックされた状態から、蓋Ｔを持ち上げようとしても、蓋Ｔに配設された操作ブロック２１のロッド２２に突設された係止突部２３の上面２３ａが、容器本体Ｃの上端水平フランジ２ｂに形成された角部凹部５を構成する相対する側部５ｃに突設された係止ブロック６の下面６ｂに当接し、従って、蓋Ｔの持ち上げが阻止されることになる。このような蓋Ｔと容器本体Ｃとのロック状態は、蓋Ｔに配設されたロック解除操作部材２０を操作することなく、単に、蓋Ｔを下降させるだけで行うことができる。
【００３０】
上述したような蓋Ｔと容器本体Ｃとのロック状態を解除するには、蓋Ｔに形成された凹部１４の中央部側部分１４”に手を入れて、ロック解除操作部材２０を、前側部２１ａに形成された弾性片２４の弾性力に抗して、幅広土手部１２方向に移動させて、図１５に示されているように、蓋Ｔに配設された操作ブロック２１のロッド２２に突設された係止突部２３を、容器本体Ｃの上端水平フランジ２ｂに形成された角部凹部５を構成する相対する側部５ｃに突設された係止ブロック６の下方から排出させて、蓋Ｔと容器本体Ｃとのロック状態を解除し、その後、蓋Ｔを持ち上げて、容器本体Ｃから、蓋Ｔを取り外すことになる。
【００３１】
容器本体Ｃに、蓋Ｔを被せる際には、作業者は、蓋Ｔの両短辺側に相対して形成された幅広土手部１２を、それぞれ両手で把持して蓋Ｔを持ち上げ、その後、容器本体Ｃの開口部に、蓋Ｔの天板部１０の裏面に垂設された額縁状嵌合枠１８を嵌合し、蓋Ｔを押し下げることにより、上述したように、容器本体Ｃへの蓋Ｔの被蓋作業が終了することになるが、この被蓋作業の際には、作業者は、蓋Ｔに配設されたロック解除操作部材２０を操作する必要がないので、容器本体Ｃへの蓋Ｔの被蓋作業の作業性が向上する。
【００３２】
また、上述したように、ロック解除操作部材２０は、蓋Ｔの幅広土手部１２付近に位置する天板部１０に形成された凹部１４内に完全に収容されており、凹部１４を越えて上方に突出しないように構成されているので、被蓋作業の際に、作業者が、蓋Ｔに形成された幅広土手部１２を両手で、それぞれ把持しても、作業者が、誤って、ロック解除操作部材２０を操作するような誤動作を防止することができる。
【００３３】
蓋Ｔを、容器本体Ｃから取り外す際には、作業者は、蓋Ｔの凹部１４を構成する中央部側部分１４”に親指を挿入し、親指を、ロック解除操作部材２０の操作ブロック２１の前側部２１ａと反対側に位置する後側部２１ｃに当て、他の指を、容器本体Ｃの短辺側に形成された土手部１１の短辺側１１ａに当てる。その後、親指を他の指方向に近付けることにより、ロック解除操作部材２０の操作ブロック２１の後側部２１ｃを押して、ロック解除操作部材２０を、幅広土手部１２方向に移動させて、上述したように、蓋Ｔに配設された操作ブロック２１のロッド２２に突設された係止突部２３を、容器本体Ｃに形成された角部凹部５を構成する相対する側部５ｃに突設された係止ブロック６の下方から排出させて、蓋Ｔと容器本体Ｃとのロック状態を解除し、その後、ロック解除操作部材２０の操作ブロック２１に当てられた親指及び土手部１１の短辺側１１ａに当てられた他の指を離すことなく、そのままの状態で、蓋Ｔを持ち上げて、容器本体Ｃから、蓋Ｔを取り外すことになる。このように構成されているので、蓋Ｔと容器本体Ｃとのロック状態を解除したままの状態で、蓋Ｔを持ち上げて、容器本体Ｃから、蓋Ｔを取り外すことができ、従って、ロック状態の解除作業及び蓋Ｔの取外作業の作業性が向上する。
【００３４】
蓋Ｔの幅広土手部１２の天部１２ａと側壁１２ｂとにより形成される角部ｔ１で、且つ、凹部１４の土手部側部分１４’の中央部に位置する角部ｔ１には、上方と土手部側部分１４’側の側方が開放された角部中央凹部２７が形成されており、また、角部中央凹部２７の両側に位置する角部ｔ１には、角部側方凹部２８が形成されている。このように、蓋Ｔの幅広土手部１２の角部ｔ１の３個所には、１個の角部中央凹部２７と、角部中央凹部２７を挟んで位置する２個の角部側方凹部２８の合計３個の凹部が形成されている。
【００３５】
図１７〜図１９に示されているように、蓋Ｔ同士を段積みした際には、上に位置する蓋Ｔａの天板部１０の裏面に垂設された額縁状嵌合枠１８が、下に位置する蓋Ｔｂの天板部１０の周囲に形成された土手部１１及び幅広土手部１２に嵌合されるように構成されている。また、上に位置する蓋Ｔａの側壁部１４ｂ２の中央部に穿設された透孔１６に挿入され、側壁部１４ｂ２から突出している、操作ブロック２１のロッド２２と係止突部２３が、図１８に示されているように、下に位置する蓋Ｔｂの幅広土手部１２に形成された角部中央凹部２７に挿入されるとともに、上に位置する蓋Ｔａの幅広土手部１２の裏面に形成された一対の嵌合突部１３が、下に位置する蓋Ｔｂの幅広土手部１２に形成された２個の角部側方凹部２８に、それぞれ嵌合されるように構成されている。
【００３６】
上述したように、蓋Ｔ同士を段積みした際には、上に位置する蓋Ｔａの天板部１０の裏面に垂設された額縁状嵌合枠１８が、下に位置する蓋Ｔｂの天板部１０の周囲に形成された土手部１１及び幅広土手部１２に嵌合されるように構成されているので、上に位置する蓋Ｔａが、下に位置する蓋Ｔｂに対して水平方向に大きく移動するようなことがないので、安定した状態で、多数の蓋Ｔを段積みすることができる。
【００３７】
また、蓋Ｔ同士を段積みした際には、上に位置する蓋Ｔａに配設された操作ブロック２１のロッド２２と係止突部２３が、下に位置する蓋Ｔｂの幅広土手部１２に形成された角部中央凹部２７に挿入されるように構成されているので、上に位置する蓋Ｔａに配設された操作ブロック２１のロッド２２と係止突部２３が、下に位置する蓋Ｔｂの幅広土手部１２に当接し、損傷するようなことを防止することができる。
【００３８】
更に、上に位置する蓋Ｔａの幅広土手部１２の裏面に形成された一対の嵌合突部１３が、下に位置する蓋Ｔｂの幅広土手部１２に形成された２個の角部側方凹部２８に、それぞれ嵌合されるように構成されているので、上に位置する蓋Ｔａの水平方向の移動を、より確実に抑制することができ、より安定した状態で、多数の蓋Ｔを段積みすることができる。
【００３９】
更にまた、蓋Ｔの凹部１４を構成する底板１４ａが平坦に形成されているとともに、蓋の凹部１４に装着されたロック解除操作部材２０が、凹部１４を越えて上方に突出しないように、完全に、凹部１４内に収容されるように構成されているので、蓋Ｔ同士を段積みした際には、上に位置する蓋Ｔａの凹部１４を構成する平坦な底板１４ａが、下に位置する蓋Ｔのロック解除操作部材２０に当接するようなことがなく、従って、下に位置する蓋Ｔのロック解除操作部材２０が損傷するようなことを防止することができる。
【００４０】
上述したように、容器本体Ｃを蓋Ｔで被蓋した際には、蓋Ｔに配設されたロック解除操作部材２０の係止突部２３を、容器本体Ｃの上端水平フランジ２ｂに形成された角部凹部５を構成する相対する側部５ｃに突設された係止ブロック６の下方に配置することにより、容器本体Ｃと蓋Ｔとをロック状態とし、ロック解除操作部材２０を、容器本体Ｃの短側壁２方向に移動させることにより、蓋Ｔに配設されたロック解除操作部材２０の係止突部２３を、容器本体Ｃの上端水平フランジ２ｂに形成された角部凹部５を構成する相対する側部５ｃに突設された係止ブロック６の下方から排出させることにより、容器本体Ｃと蓋Ｔとをロック状態を解除するように構成したので、蓋Ｔと容器本体Ｃとのロック状態を解除したままの状態で、蓋Ｔを持ち上げることができ、ロック状態の解除作業及び蓋Ｔの取外作業の作業性が向上する。
【００４１】
また、容器本体Ｃを蓋Ｔで被蓋する場合には、蓋Ｔに配設された操作ブロック２１の係止突部２３の傾斜面２３ｃを、容器本体Ｃに形成された角部凹部５を構成する側部５ｃに突設された係止ブロック６の傾斜面６ｅに接触させながら、蓋Ｔを下降させることにより、ロック解除操作部材２０を、ロック解除操作部材２０に配設された弾性片２４の弾性力に抗して、弾性片２４を湾曲変形させながら容器本体Ｃの幅広土手部１２に接近させるとともに、蓋Ｔに配設された操作ブロック２１の係止突部２３の上面２３ａが、上記の係止ブロック６の下面６ｂを越えて下方に位置した時点で、ロック解除操作部材２０を、湾曲変形した弾性片２４の復元力により、幅広土手部１２から離反する方向に移動させて、蓋Ｔに配設された操作ブロック２１の係止突部２３を、上記の係止ブロック６の下方に位置するように構成したので、ロック解除操作部材２０を操作することなく、単に、容器本体Ｃに対して、蓋Ｔを下降させるだけで、容器本体Ｃと蓋Ｔとをロックすることができる。
【００４２】
更に、操作ブロック２１を、蓋Ｔを容器本体Ｃに被蓋する際に、或いは、蓋Ｔを容器本体Ｃから取り外す際に、作業者が把持する土手部１ａ、１ｂに配設することなく、土手部１ａ、１ｂより下がった蓋Ｔの天板部１０に形成された凹部１４に配設したので、作業者が、誤って、操作ブロック２１を操作するようなことを防止することができる。
【００４３】
なお、上述したように、容器本体Ｃが折り畳み可能な場合には、上述した短側壁２の上端水平フランジ２ｂに形成された一対の嵌合孔４と該嵌合孔４間に形成された角部凹部５とを、底部１の短辺側土手部１ａの上面に形成することが好ましい。底部１の短辺側土手部１ａに、嵌合孔４と角部凹部５を形成することにより、折り畳まれた状態の容器本体Ｃに、蓋Ｔを被せた際に、蓋Ｔに形成された嵌合突部１３が、底部１の短辺側土手部１ａに形成された嵌合孔４に嵌合され、また、蓋Ｔに形成された操作ブロック２１のロッド２２と係止突部２３が、底部１の短辺側土手部１ａに形成された角部凹部５に嵌合されるので、折り畳まれた状態の容器本体Ｃに、蓋Ｔを安定した状態で被せることができるとともに、折り畳まれた状態の容器本体Ｃから、蓋Ｔが滑り落ちるようなことを防止することができる。
【図面の簡単な説明】
【００４４】
【図１】図１は、本発明の蓋付き容器を構成する容器本体の斜視図である。
【図２】図２は、本発明の蓋付き容器を構成する短側壁の部分拡大斜視図である。
【図３】図３は、同じく、本発明の蓋付き容器を構成する短側壁の部分拡大斜視図である。
【図４】図４は、本発明の蓋付き容器を構成する蓋の斜視図である。
【図５】図５は、本発明の蓋付き容器を構成する蓋の部分拡大斜視図である。
【図６】図６は、本発明の蓋付き容器を構成する蓋の裏面部分拡大斜視図である。
【図７】図７は、本発明の蓋付き容器を構成する蓋に配設されたロック解除操作部材の斜視図である。
【図８】図８は、本発明の蓋付き容器を構成する蓋に配設されたロック解除操作部材の裏面斜視図である。
【図９】図９は、本発明の蓋付き容器を構成する蓋とロック解除操作部材の分解斜視図である。
【図１０】図１０は、本発明の蓋付き容器のロック解除操作部材が配設された蓋の垂直断面を含む部分拡大斜視図である。
【図１１】図１１は、本発明の蓋付き容器を構成する容器本体と蓋の垂直断面を含む部分拡大分解斜視図である。
【図１２】図１２は、同じく、本発明の蓋付き容器を構成する容器本体と蓋の垂直断面を含む部分拡大分解斜視図である。
【図１３】図１３は、本発明の蓋付き容器の短側壁と蓋に配設されたロック解除操作部材とのロック直前を示す垂直断面を含む部分拡大斜視図である。
【図１４】図１４は、本発明の蓋付き容器の短側壁と蓋に配設されたロック解除操作部材とのロック状態を示す垂直断面を含む部分拡大斜視図である。
【図１５】図１５は、本発明の蓋付き容器の短側壁と蓋に配設されたロック解除操作部材とのロック解除状態を示す垂直断面を含む部分拡大斜視図である。
【図１６】図１６は、本発明の蓋付き容器の斜視図である。
【図１７】図１７は、本発明の蓋付き容器を構成する蓋同士が段積みされた状態を示す垂直断面を含む部分拡大斜視図である。
【図１８】図１８は、図１７と同様の本発明の蓋付き容器を構成する蓋同士が段積みされた状態を示す垂直断面を含む部分拡大斜視図である。
【図１９】図１９は、図１７と同様の本発明の蓋付き容器を構成する蓋同士が段積みされた状態を示す垂直断面を含む部分拡大斜視図である。
【符号の説明】
【００４５】
Ｃ・・・・・・・・・・・・・・・容器本体
Ｔ・・・・・・・・・・・・・・・蓋
１・・・・・・・・・・・・・・・底部
２・・・・・・・・・・・・・・・短側壁
３・・・・・・・・・・・・・・・長側壁
４・・・・・・・・・・・・・・・嵌合孔
５・・・・・・・・・・・・・・・角部凹部
６・・・・・・・・・・・・・・・係止ブロック
１１・・・・・・・・・・・・・・土手部
１２・・・・・・・・・・・・・・広幅土手部
２０・・・・・・・・・・・・・・ロック解除操作部材
２３・・・・・・・・・・・・・・係止突部
２４・・・・・・・・・・・・・・弾性片
【図１】
2006051967.tif 000003
【図２】
2006051967.tif 000004
【図３】
2006051967.tif 000005
【図４】
2006051967.tif 000006
【図５】
2006051967.tif 000007
【図６】
2006051967.tif 000008
【図７】
2006051967.tif 000009
【図８】
2006051967.tif 000010
【図９】
2006051967.tif 000011
【図１０】
2006051967.tif 000012
【図１１】
2006051967.tif 000013
【図１２】
2006051967.tif 000014
【図１３】
2006051967.tif 000015
【図１４】
2006051967.tif 000016
【図１５】
2006051967.tif 000017
【図１６】
2006051967.tif 000018
【図１７】
2006051967.tif 000019
【図１８】
2006051967.tif 000020
【図１９】
2006051967.tif 000021